(57)【要約】【課題】簡単に薬液ビンの口頸部に取付けることができ、素早く麻酔器の容器に移し替えることができ、使用後において薬液ビン内に薬液が残液した場合でも保護キャップができる薬液注入ノズルを提供する。【解決手段】注入ノズルの先端からの根本に向かって縦の切欠き部を設け、薬液ビンの口頸部に接合する筒状キャップと上記注入ノズルとの嵌着により一体化させ、該嵌着部の注入ノズル側には組付け後の離脱防止に突起が設けられ、更に注入ノズル下端部には数個のシールリングが嵌め込まれ、薬液ビンの口頸部との板パッキンとで二重のシール部を形成する薬液注入ノズル。【効果】簡単に薬液ビンの口頸部に取付けることができ、素早く麻酔器の容器に移し替えることができ、薬液ビン内に麻酔液が残液した場合でも保護キャップができ、気化ガスが妄りに放出しない。【選択図】　　　　図２
2004106852.tif 000002
【特許請求の範囲】
【請求項１】
保護キャップとの接合部を備え、薬液ビンの口頸部と筒状キャップとの接合部を備え、薬液ビンの口頸部に筒状の注入ノズルを有した薬液注入ノズルであって、該注入ノズルの先端から根本に向かって縦の切欠き部を設け、薬液ビンの口頸部に接合する筒状キャップと上記注入ノズルとの嵌着により一体化させ、該嵌着部の注入ノズル側には組付け後の離脱防止に突起が設けられ、更に注入ノズル下端部には数個のシールリングが嵌め込まれ、薬液ビンの口頸部との板パッキンにより二重のシール部を形成することにより、薬液ビンに容易に嵌着することができ、薬液を外部に漏洩させることなく、素早く他の容器に移し替えることができるようにしたことを特徴とする薬液注入ノズル。
【請求項２】
屈曲可能な蛇腹の筒状の注入ノズルにしたことを特徴とする請求項１に記載の薬液注入ノズル。
【請求項３】
保護キャップと筒状キャップの接合部をネジによる螺戻、螺着で接合可能としたことを特徴とする請求項１および２に記載の薬液注入ノズル。
【請求項４】
保護キャップと筒状キャップの接合部をワンタッチのシールリングにより接合可能としたことを特徴とする請求項１および２に記載の薬液注入ノズル。
【発明の詳細な説明】
【０００１】
【発明の属する技術分野】
本発明は、麻酔液や医薬液などの薬液ビンの口頸部に取付けられる薬液注入ノズルに関するものである。
【０００２】
【従来の技術】
従来、一般に使用されている麻酔液や医薬液などの薬液ビンは輸送梱包の関係により、薬液ビンの口頸部は密閉栓で気密・封印されており、麻酔器の容器に移し替える場合において、封印を開封し、容器の注入口へ薬液ビンの口頸部を触接させ、薬液が溢れることに注意しながら作業が行われていた。
【０００３】
その結果、注入作業者はゆっくりと慎重に作業を実施しても、液だれし易く、麻酔液が空気中に気化する危惧が発生し、手術室内でその作業を行えば気化ガスが充満する恐れがあった。
【０００４】
【発明が解決しようとする課題】
そこで簡単に薬液ビンの口頸部に取付けることができ、素早く麻酔器の容器に移し替えることができ、薬液ビン内に麻酔液が残液した場合でも保護キャップができる薬液注入ノズルの技術開発に成功したものである。
【０００５】
【課題を解決するための手段】
本発明は、上記課題を解決するためになされたものであり、その要旨　とするところは、保護キャップとの接合部を備え、薬液ビンの口頸部と筒状キャップとの接合部を備え、薬液ビンの口頸部に筒状の注入ノズルを有した薬液注入ノズルであって、該注入ノズルの先端から根本に向かって縦の切欠き部を設け、薬液ビンの口頸部に接合する筒状キャップと上記注入ノズルとの嵌着により一体化させ、該嵌着部の注入ノズル側には組付け後の離脱防止に突起が設けられ、更に注入ノズル下端部には数個のシールリングが嵌め込まれ、薬液ビンの口頸部との板パッキンにより二重のシール部を形成することにより、薬液ビンに容易に嵌着することができ、薬液を外部に漏洩させることなく、素早く他の容器に移し替えることができるようにしたことを特徴とする薬液注入ノズルに関し、また屈曲可能な蛇腹の筒状の注入ノズルにしたことを特徴とする薬液注入ノズルに関するものである。
更に、保護キャップと筒状キャップの接合部をネジによる螺戻、螺着で接合可能としたことを特徴とする薬液注入ノズルに関し、また保護キャップと筒状キャップの接合部をワンタッチのシールリングにより接合可能としたことを特徴とする薬液注入ノズルに関するものである。
【０００６】
【発明の実施の形態】
本発明を実施例の図面を参照しながら詳細に説明する。
（実施例１）
図１に於て、１は本発明の注入ノズル、２は薬液ビン、３は薬液ビンの口頸部を示し、注入ノズル１は口頸部３に挿着結合されている。４は本発明の保護キャップで、注入ノズル１に嵌着された筒状キャップ５に接合されている。この状態は、麻酔器への容器に移し替える場合や残液の保管に利用される場合において、妄りに麻酔液が気化し、気化ガスが放出しない状態である。また、Ａは本発明が組立てられた薬液注入ノズルの全体を示している。
【０００７】
図２に於て、薬液注入ノズルＡの接合関係を詳しく説明すると、保護キャップ４は、片側を蓋板６で塞がれた円柱パイプ７で、開放側の内面には注入ノズル１に嵌着された筒状キャップ５に螺戻・螺着可能なネジ部１１が設けられている。
【０００８】
また注入ノズル１は、筒状をしており、注入ノズル１の先端９から根本１０まで縦の切欠き部１３を設け、該注入ノズル１の切欠き部１３は先端９へ向かうにしたがい扇状の切欠き部１４となっている。
【０００９】
図３ａ、図３ｂに於て、薬液ビンの口頸部３の挿入された注入ノズル１の構造を説明すると、注入ノズル１は２つの部位から構成され、２０は薬液ビンの口頸部３に挿入されるシール部、１９は筒状キャップ５に嵌着される嵌着部に分かれている。
【００１０】
図３ｂ、図４ｂに於て、嵌着部１９の注入ノズル１側は、略筒状中心部に位置し、差込み径１６を有している。筒状キャップ５は嵌め込み径１７を有した蓋板２５が取付けられた筒状体で、外周面には保護キャップ４との螺戻・螺着可能なネジ部１２、内周面には薬液ビンの口頸部３に螺着可能なネジ部８が設けられ、口頸部３の接触部には板パッキン１８を設け、外部への薬液の漏れを防いでいる。
【００１１】
図３ｂに於て、シール部２０は、使用される薬液ビンの口頸部３の内径より若干小さい筒状体で、リング溝２２が筒状体の外周に設けられ、シールリング２１が２個取付けられる。また、シール部２０が挿入された先端部２３は、薬液ビンの口頸部３の内径より若干小さくした堰２４を設けているため、それ以上薬液ビンの口頸部３の中へ入り込むことはない。
【００１２】
図４ａ、図４ｂに於て、注入ノズル１と筒状キャップ５との嵌着の構造を説明すると、図４ａでは注入ノズル１のシール部２０には筒状体の外周に設けられたリング溝２２にシールリング２１が２個に嵌め込まれている。図４ｂにより、その状態で嵌め込み径１７を有した蓋板２５が取付けられた筒状体の筒状キャップ５の開放側より、注入ノズル１の先端９から嵌め込み径１７まで差込まれ、注入ノズル１の略中央部の差込み径１６で嵌着される。
【００１３】
図４ｂに於て、嵌着部の注入ノズル１側には筒状キャップ５を嵌着した際に、妄りに外れないように戻り防止の突起１５が設けられている。
【００１４】
（実施例２）
図５ａ、図５ｂ、図５ｃに於て、保護キャップ４ａは、片側を円柱パイプ７ａで、開放側の内面にシールリング２８が嵌着されるように凹み溝３０が設けられており、対向する注入ノズルの筒状キャップ５ａの外周側は、シールリング２８が嵌めこんであるリング溝２６が設けられている。この構造により保護キャップ４ａはワンタッチで着脱可能となる。また図５ｃに示すように、保護キャップ４ｂ側の円柱パイプ７ｂにシールリング２９を取付け、筒状キャップ５ｂに凹み溝３０ａを設備にすることも可能である。
【００１５】
図６に於て、注入ノズル１と筒状キャップ５とが嵌着部１９で一体化され、容易に外れない状態で薬液ビン２の口頸部３に筒状キャップ５が螺着され、注入ノズル１に保護キャップ４が差込まれた状態でネジ部１２に螺着されることにより薬液注入ノズルＡは気密性の高い状態が保持される。
【００１６】
（実施例３）
図７ａ、図７ｂに於て、注入ノズルの形状は変更することも可能である。注入ノズル１ａは、筒状の蛇腹で、蛇腹の先端３１は自由に向きを変えることができる。即ち麻酔器の容器に移し替える場合には、容器の注入口へ先端３１を差込み、自由に麻酔液の薬液ビンを傾斜させて作業することができる。（図示なし）
【００１７】
図８のように、本発明の薬液注入ノズルＡを薬液ビン２に取付け、注入ノズル１の切欠き部１３を上に向け、薬液ビン２への薬液の流れを良くして、麻酔器に取付けられた気化器３２の注入口３３へ注入ノズル１の先端９を触接させることにより麻酔液２７を素早く移し替えることができる。
【００１８】
本発明の薬液注入ノズルは、医薬用として選定された材質のものを使用し、合成樹脂製のものでも、ステンレス製のものでも構わない。また、シール材としてフッソゴムやシリコンゴムを使用しても構わない。
【００１９】
注入ノズルのみ材質を軟質系の合成樹脂製に変更することにより麻酔液の薬液ビンを自由な方向に傾斜させて移し替え作業することができ、更に注入ノズルのみ色彩を変えて製造・組付することにより薬液ビンの種別管理をすることができる。（図示せず）
【００２０】
【発明の効果】
本発明の薬液注入ノズルは、注入ノズル下端部に数個のシールリングが嵌め込まれ、且つ薬液ビンの口頸部との板パッキンにより二重のシール部を形成したので、移し替えの作業中でも薬液ビンとの漏洩の心配がない。
【００２１】
本発明の薬液注入ノズルは、薬液ビンの口頸部に接合する筒状キャップと注入ノズルとの嵌着により一体化させ、組付け後の離脱防止に突起を設けたので、注入ノズルが簡単に外れることなく、ステンレス製のノズルや各種形状のノズルに変更することが可能となり、薬液ビンの種別管理をすることができる極めて利便性の高いものである。
【００２２】
本発明の薬液注入ノズルは、保護キャップと筒状キャップの接合部をネジによる螺戻、螺着で接合可能としたので、薬液ビンの気密性が保持でき、長時間の保管や手に下げての移動においても安全に作業ができるものである。
【００２３】
本発明の薬液注入ノズルは、保護キャップと筒状キャップの接合部をワンタッチのシールリングにより接合可能としたので、保護キャップの着脱作業を敏速に行うことができ、麻酔液の気化ガスが外部に放出され難い。
【００２４】
本発明の薬液注入ノズルは、注入ノズルの先端から根本に向かって縦の切欠き部を設けたので容器への薬液の流れが良くなり、容易に素早く薬液の移し替え作業が可能となる。
【図面の簡単な説明】
【図１】本発明の薬液注入ノズルの外観斜視図である。
【図２】本発明の薬液注入ノズルの要部を欠截した外観斜視図である。
【図３】ａ　本発明の薬液注入ノズルの正面図である。
ｂ　本発明の薬液注入ノズルのＺ−Ｚ断面図である。
【図４】ａ　本発明の注入ノズルにシールリングを取付ける状態を示した参考斜視図である。
ｂ　本発明の注入ノズルを筒状キャップに嵌着する状態を示す参考斜視図である。
【図５】ａ　本発明の実施例２の要部を欠截した参考斜視図である。
ｂ　本発明の実施例２の保護キャップを接合する状態の一部を欠截した参考斜視図である。
ｃ　本発明の実施例２の保護キャップを接合する状態を示す参考斜視図である。
【図６】本発明を薬液ビンに取付ける状態を示す参考斜視図である。
【図７】ａ　本発明の実施例３の参考斜視図である。
ｂ　本発明の実施例３の注入ノズルの動きを示した正面図である。
【図８】本発明を薬液ビンに取付け、麻酔器に薬液を移し替えている状態を示す参考図である。
【符号の説明】
１　注入ノズル
１ａ注入ノズル
２　薬液ビン
３　口頸部
４　保護キャップ
４ａ保護キャップ
４ｂ保護キャップ
５　筒状キャップ
５ａ筒状キャップ
５ｂ筒状キャップ
６　蓋板
７　円柱パイプ
７ａ円柱パイプ
７ｂ円柱パイプ
８　ネジ部
９　先端
１０　根本
１１　ネジ部
１２　ネジ部
１３　切欠き部
１４　切欠き部
１５　突起
１５ａ突起
１６　差込み径
１７　嵌め込み径
１８　板パッキン
１９　嵌着部
２０　シール部
２０ａシール部
２１　シールリング
２１ａシールリング
２２　リング溝
２３　先端部
２４　堰
２５　蓋板
２６　リング溝
２７　麻酔液
２８　シールリング
２９　シールリング
３０　凹み部
３０ａ凹み部
３１　先端部
３２　気化器
３３　注入口
Ａ　薬液注入ノズル
【図１】
2004106852.tif 000003
【図２】
2004106852.tif 000004
【図３】
2004106852.tif 000005
【図４】
2004106852.tif 000006
【図５】
2004106852.tif 000007
【図６】
2004106852.tif 000008
【図７】
2004106852.tif 000009
【図８】
2004106852.tif 000010